(57)【要約】【課題】台間機本体が台間機ホルダから外された状態においても台間機アドレスの設定・変更が可能なアドレス設定装置を備えた遊技台用台間機を提案すること。【解決手段】遊技台用台間機６では、台間機本体２０を、台間機ホルダ１０に固定された固定側ユニット３０と、台間機ホルダ１０に着脱可能な着脱側ユニット５０から構成し、固定側ユニット３０に、台間機電源ユニット３２と共に台間機制御器３３およびアドレス設定装置を搭載してある。着脱側ユニット５０が保守点検などのために取り外されている状態においても、台間機ホルダ１０に固定されている固定側ユニット３０のアドレス入力部としてのテンキー群３８と、アドレス設定・変更機能およびアドレスメモリを備えた台間機制御器３３から構成されるアドレス設定装置によって、台間機アドレスの設定・変更が可能である。【選択図】図４
2007313209.tif 000002
【特許請求の範囲】
【請求項１】
遊技島枠などに固定される台間機ホルダと、
この台間機ホルダに固定されている固定ユニット、および当該台間機ホルダに対して前方から着脱可能な状態で差し込み固定されている着脱式ユニットからなる台間機本体とを有し、
前記固定ユニットには、台間機電源ユニットと、この台間機電源ユニットから駆動電力が供給される台間機制御器と、前記台間機電源ユニットから駆動電力が供給されると共に前記台間機制御器の制御の下に台間機アドレスの設定および変更動作を行うアドレス設定装置とが搭載されている遊技台用台間機。
【請求項２】
請求項１において、
前記アドレス設定装置は、
台間機アドレスを記憶保持するアドレスメモリと、
このアドレスメモリに記憶保持される台間機アドレスの入力および変更を行うために、前記固定ユニットの前面に取り付けた前面パネルに配置したアドレス入力部と、
このアドレス入力部を介して入力された台間機アドレスを前記アドレスメモリに記憶保持する処理動作、当該台間機アドレスにより前記アドレスメモリの記憶内容を変更する処理動作を行う制御部とを備えていることを特徴とする遊技台用台間機。
【請求項３】
請求項２において、
前記制御部は、前記台間機制御器の制御機能の一部として備わっており、
前記アドレスメモリは、前記台間機制御器に備わっているメモリの一部の領域であることを特徴とする遊技台用台間機。
【請求項４】
請求項３において、
前記アドレス入力部は、前記前面パネルに配置されたテンキーを用いて台間機アドレスを入力するものであることを特徴とする遊技台用台間機。
【請求項５】
請求項３において、
前記アドレス入力部は、前記前面パネルに配置した受光窓を介して、光通信により台間機アドレスデータを受け取るアドレスデータ受信器であることを特徴とする遊技台用台間機。
【発明の詳細な説明】
【技術分野】
【０００１】
本発明は、パチンコ玉などの遊技媒体の貸し出しを行う遊技台用台間機に関するものである。さらに詳しくは、各遊技台用台間機の設置場所を識別するための固有の台間機アドレスを設定するアドレス設定装置を備えた遊技台用台間機の改良に関するものである。
【背景技術】
【０００２】
パチンコ店などの遊技店においては、遊技台に隣接配置されている遊技台用台間機のそれぞれに固有の台間機アドレスを付与して、ＬＡＮなどの通信回線網を介して、管理コンピュータにより各遊技台用台間機の設置場所を特定して、これらを集中管理している。遊技台用台間機に台間機アドレスを付与するために、遊技台用台間機にはアドレス設定用のロータリスイッチなどの機械的スイッチが台間機アドレスの桁数に対応する個数分取り付けられており、各桁のロータリスイッチをドライバなどにより回して、台間機アドレスを設定している。このようなロータリスイッチが配列されたアドレス設定部は、遊技者などが不正にアクセスできないように、一般に遊技台用台間機の奥の部分に配置されている。したがって、設置されている台間機アドレスの確認や、その再設定のための作業が面倒である。
【０００３】
そこで、従来においては、下記の特許文献１に開示されているように、遊技台用台間機の前面パネルに配列されている操作ボタンを操作することにより、台間機アドレスを設定可能なアドレス設定装置が提案されている。また、下記の特許文献２には、アドレス設定用のアドレスデータ発信器を用いて光通信により各遊技台用台間機に対して台間機アドレスの設定および変更を行うことのできるアドレス設定装置が提案されている。
【０００４】
ここで、遊技台用台間機において、内蔵されている紙幣識別機、硬貨識別機などは、紙幣、硬貨の搬送機構、選別機構などの機械的な駆動部分を備えており、紙幣詰まり、硬貨詰まり等に対処できるように、簡単な操作によって取り外せることが望ましい。このような観点から、遊技台用台間機は、一般に、遊技島取付枠に固定された台間機ホルダと、ここに前側から着脱可能な状態で差込固定された台間機本体から構成され、ロック機構を解除することにより、台間機電源ユニットが取り付けられている台間機ホルダの側から、台間機本体を簡単に外せるようになっている。
【０００５】
この構造の遊技台用台間機では、台間機ホルダの側に通信用の中継器が取り付けられており、台間機本体を台間機ホルダに差し込み固定した後に、台間機本体と台間機ホルダ側の中継器との配線接続作業が行われる。これにより、台間機本体に搭載されている台間機制御器と外部との間の通信が可能になり、また、台間機ホルダ側の台間機電源ユニットから台間機本体側への給電が可能になる。特許文献３、４には、このような遊技台用台間機が開示されている。
【特許文献１】特開平０９−３１３７２２号公報
【特許文献２】特開２００５−３４５２７号公報
【特許文献３】特開２００２−１１２３８号公報
【特許文献４】特開２００５−３４２２３６号公報
【発明の開示】
【発明が解決しようとする課題】
【０００６】
ここで、このような着脱式の台間機本体を備えた遊技台用台間機において、特許文献１、２に記載のアドレス設定装置を用いて台間機アドレスを設定・変更するためには、台間機本体が台間機ホルダに装着されていることが必要である。すなわち、台間機本体の側にアドレス入力用の操作ボタン、あるいはアドレス受信器が備わっている。また、これらに駆動電力を供給する台間機電源ユニットは台間機ホルダの側に搭載されている。したがって、台間機本体を台間機ホルダから取り外した状態では台間機アドレスの設定あるいは変更ができない。
【０００７】
本発明の課題は、このような点に鑑みて、台間機本体が台間機ホルダから外された状態においても台間機アドレスの設定および変更を行うことのできるアドレス設定装置を備えた遊技台用台間機を提案することにある。
【課題を解決するための手段】
【０００８】
上記の課題を解決するために、本発明の遊技台用台間機は、
遊技島枠などに固定される台間機ホルダと、
この台間機ホルダに固定されている固定ユニット、および当該台間機ホルダに対して前方から着脱可能な状態で差し込み固定されている着脱側ユニットからなる台間機本体とを有し、
前記固定ユニットには、台間機電源ユニットと、この台間機電源ユニットから駆動電力が供給される台間機制御器と、前記台間機電源ユニットから駆動電力が供給されると共に前記台間機制御器の制御の下に台間機アドレスの設定および変更動作を行うアドレス設定装置とが搭載されていることを特徴としている。
【０００９】
本発明の遊技台用台間機では、台間機本体を、台間機ホルダに固定された固定側ユニットと、台間機ホルダに着脱可能な着脱側ユニットから構成し、固定側ユニットに、台間機電源ユニットと共に台間機制御器およびアドレス設定装置を搭載してある。したがって、着脱側ユニットが保守点検などのために取り外されている状態においても、台間機ホルダに固定されているアドレス設定装置を用いて台間機アドレスの設定および変更を行うことができる。
【００１０】
ここで、前記台間機アドレス設定装置は、台間機アドレスを記憶保持するアドレスメモリと、このアドレスメモリに記憶保持される台間機アドレスの入力および変更を行うために、前記固定ユニットの前面に取り付けた前面パネルに配置したアドレス入力部と、このアドレス入力部を介して入力された台間機アドレスを前記アドレスメモリに記憶保持する処理動作、当該台間機アドレスにより前記アドレスメモリの記憶内容を変更する処理動作を行う制御部とを備えた構成とすることができる。
【００１１】
この場合、前記制御部を、前記台間機制御器の制御機能により実現し、前記アドレスメモリとして、前記台間機制御器に備わっているメモリの一部の領域を利用することができる。このようにすれば、台間機アドレスの設定・変更用の制御部や、台間機アドレスを記憶保持するための専用のメモリを配置する必要が無い。
【００１２】
また、前記アドレス入力部としては、前記前面パネルに配置されたテンキーを用いて台間機アドレスを入力するものを採用することができる。この代わりに、前記アドレス入力部として、前記前面パネルに配置した受光窓を介して、光通信により台間機アドレスデータを受け取るアドレスデータ受信器を用いることができる。
【発明の効果】
【００１３】
本発明の遊技台用台間機では、遊技島取付枠に取り付けた台間機ホルダに装着される台間機本体を、台間機ホルダに固定された固定側ユニットと、台間機ホルダに着脱可能に装着された着脱側ユニットとに分け、固定側ユニットに、台間機電源ユニットと共に、台間機制御器およびアドレス設定装置を搭載してある。したがって、着脱側ユニットが台間機ホルダから取り外された状態においても台間機アドレスの設定および変更を行うことができる。また、台間機制御器の内蔵メモリを利用することにより、台間機アドレスを記憶保持するための専用のメモリも不要になる。
【発明を実施するための最良の形態】
【００１４】
以下に、図面を参照して本発明を適用した遊技台用台間機を備えた遊技システムを説明する。
【００１５】
(実施の形態１)
図１は本実施の形態１に係る遊技システムを示す部分正面図である。本実施の形態に係る遊技システム１の基本的な構成は一般的なものであり、遊技島２を構成するための遊技島取付枠３と、この遊技島取付枠３に沿って取り付けられた複数の遊技ユニット４とを有している。各遊技ユニット４は、パチンコ台やスロット台などの遊技台５と、遊技台５の左側に隣接配置されている遊技台用台間機６とを備えている。遊技台用台間機６は、隣接配置されている遊技台５でのプレイに用いるパチンコ玉、メダルなどの遊技媒体の貸し出しを行うためのものである。各遊技台用台間機６は、ＬＡＮなどの不図示の通信回線網を経由して遊技店の管理コンピュータなどの上位機器に対して双方向通信可能な状態で接続されている。
【００１６】
図２(ａ)、(ｂ)および(ｃ)は台間機６の正面図、側面図および裏面図である。また、図３は台間機ホルダから台間機本体の上側の着脱側ユニットを引き抜いた状態を示す側面図であり、図４は台間機の内部構造を示す説明図である。
【００１７】
これらの図を参照して説明すると、台間機６は、台間機ホルダ１０と台間機本体２０から構成されており、台間機ホルダ１０は遊技島取付枠３に固定されている。台間機本体２０は、下側の固定側ユニット３０と上側の着脱側ユニット５０を備えており、上側の着脱側ユニット５０は台間機ホルダ１０に対して前方から水平に差し込み可能であり、ロック機構７０によって台間機ホルダ１０から引き抜き不可の状態に保持されている。これに対して、下側の固定側ユニット３０は上側の着脱側ユニット５０が引き抜かれた状態においてのみ、台間機ホルダ１０から取り外し可能な状態で、台間機ホルダ１０に固定されている。
【００１８】
台間機ホルダ１０は、垂直に延びる前方に開口しているコの字状断面の縦枠１１と、この縦枠１１の上端から前方に水平に延び、下方に開口しているコの字状断面の上側水平ガイド枠１２と、縦枠１１の下端から前方に水平に延び、上方に開口しているコの字状断面の下側水平ガイド枠１３を備えている。
【００１９】
台間機本体２０の下側の固定側ユニット３０は、上下に細長い偏平な直方体形状をしたユニットケース３１を備え、この内部には、下側には台間機電源ユニット３２が配置され、上側には台間機制御器３３が配置されている。台間機電源ユニット３２には電源ケーブル３４を介して外部から電力が供給される。また、ユニットケース３１の内部において台間機電源ユニット３２と台間機制御器３３の間に配置した電源ケーブル３５を介して台間機制御器３３の側に駆動電力が供給されるようになっている。
【００２０】
ユニットケース３１の前面には下側前面パネル３６が取り付けられている。本例の下側前面パネル３６には、その上側から、液晶表示部３７、テンキー群３８、非接触型ＩＣカードの読み取り部３９が配置されている。これらの各部から引き出された配線３７ａ、３８ａ、３９ａが、それぞれ、台間機制御器３３の側の入出力端子に接続されている。
【００２１】
台間機制御器３３の背面には、通信ポート４０、４１、外部通信用のコネクタ４２などが配置されており、これらの各部は、台間機ホルダ１０の縦枠１１の背板部分１１ａに形成されている開口部１１ｂから背面側に露出している。これらの通信ポート４０、４１、コネクタ４２には外部から引き込まれた通信用のケーブル(図示せず)が接続される。
【００２２】
また、固定側ユニット３０内の台間機制御器３３からは通信用および給電用のケーブル４５が引き出されている。このケーブル４５は、ユニットケース３１の上端面の後ろ側の縁から上方に引き出されている。台間機ホルダ１０における固定側ユニット３０の真上の部位には、ケーブル接続用のホルダ側コネクタ４６が前向き姿勢で取り付けられている。
【００２３】
ここで、ユニットケース３１の背面における上下の端部には、その一方の側縁から背面側に向けてフック４３、４４が突出している。台間機ホルダ１０の縦枠１１の背板部分１１ａには、これらのフック４３、４４を通すことのできる長さのスリット１１ｃ、１１ｄが形成されている。固定側ユニット３０は、一対のフック４３、４４をスリット１１ｃ、１１ｄに通した後に下方に落とすことにより、その下面が台間機ホルダ１０の下側水平ガイド枠１３に乗る。この状態では、フック４３、４４がスリット１１ｃ、１１ｄの下側縁部分に当り、固定側ユニット３０を台間機ホルダ１０から外すことができない。
【００２４】
次に、上側の着脱側ユニット５０も、上下に細長い偏平なユニットケース５１を備えている。本例では、この内部に、上側から紙幣処理機５２およびＩＣコイン(コイン状ＩＣ記憶媒体)処理機５３が配置されている。下側のＩＣコイン処理機５３の制御基板５４からは、通信用および給電用のケーブル５５が引き出されている。また、制御基板５４と上側の紙幣処理機５２の制御基板５６の間も通信用および給電用のケーブル５７によって接続されている。
【００２５】
ここで、ユニットケース５１の背面側の下端部は前方に窪んでおり、この部分には、後向きの姿勢でユニット側コネクタ５８が取り付けられている。このユニット側コネクタ５８にケーブル５５が接続されている。
【００２６】
ユニットケース５１の前面には上側前面パネル５９が取り付けられており、この上側前面パネル５９には、その上側から紙幣入口６０、多機能ランプ６１、およびＩＣコイン入口６２およびＩＣコイン出口６３が配置されている。ＩＣコイン出口６３の下側部分は、着脱側ユニット５０を引き出すための引き手６４となっている。
【００２７】
着脱側ユニット５０は、台間機ホルダ１０の上側水平ガイド枠１２と、下側に装着されている固定側ユニット３０の上端面に取り付けた水平ガイド枠４７の間に、前方から差し込み可能であり、これらに案内されて、その背面が台間機ホルダ１０の縦枠１１の背板部分１１ａに当る位置まで押し込むことが可能となっている。
【００２８】
台間機ホルダ１０の側には、ホルダ側コネクタ４６が前向き姿勢で取り付けられている。着脱側ユニット５０の背面に取り付けた後向きのユニット側コネクタ５８は、着脱側ユニット５０を台間機ホルダ１０に押し込むと、ホルダ側コネクタ４６に差し込まれる位置に配置されている。これらのコネクタ４６、５８によって、着脱側ユニット５０を差し込むと、コネクタ４６にコネクタ５８が差し込まれて接続状態になり、着脱側ユニット５０を引き抜くと、コネクタ５８がコネクタ４６から引き抜かれるプラグイン方式のコネクタ接続機構が構成されている。
【００２９】
次に、台間機ホルダ１０に差し込まれた着脱側ユニット５０を引き抜き不可の状態にロックしているロック機構７０を説明する。ロック機構７０は、台間機ホルダ１０の縦枠１１の背板部分１１ａの背面に固定したケース７１を備え、このケース７１には、上下方向にスライド可能な状態で前方に水平に突出しているフック７２が配置されている。フック７２は、引張りコイルばね７３によって常に下方に引張られている。フック７２にはケーブル７４の後端が接続されている。ケーブル７４はシース７５に覆われた状態で、台間機ホルダ１０の背面側からその上側を通って、前側の所定位置の所まで引き出されている。ケーブル７４を引くと、フック７２が上方にスライドし、ケーブル７４を離すと、フック７２は再び下側に戻る。
【００３０】
着脱側ユニット５０のユニットケース５１の背面には、フック７２を通すことのできるスリット７６が形成されている。着脱側ユニット５０を台間機ホルダ１０に差し込む際には、スリット７６の下端縁がフック７２を押し上げながら、着脱側ユニット５０が差し込まれる。着脱側ユニット５０が完全に差し込まれると、フック７２がスリット７６の下端縁を乗り越えて、その前側に移動し、引張りコイルばね７３のばね力によって下方にスライドする。これにより、着脱側ユニット５０が引き抜き不可の状態にロックされる。
【００３１】
このように、本例の遊技台用台間機６では、その台間機本体２０が上下に分割され、上側の着脱側ユニット５０はケーブル７４を引くという簡単な操作によって、台間機ホルダ１０から前方に引き抜くことが可能であり、着脱可能な状態で台間機ホルダ１０に取り付けられている。これに対して、下側の固定側ユニット３０を台間機ホルダ１０から外すためには、まず、上側の着脱側ユニット５０を引き抜き、次に、隣接配置されている遊技台の扉を開けて、当該固定側ユニット３０の背面側に手を回して、電源ケーブル３４、通信用のケーブルなどを外し、しかる後に、当該固定側ユニット３０を持ち上げて上下のフック４３、４４を台間機ホルダ１０の側から外す必要がある。したがって、実質的に台間機ホルダ１０に固定されている。
【００３２】
ここで、この構成の遊技台用台間機６において、その固定側ユニット３０の台間機制御器３３は、当該遊技台用台間機６に付与される台間機アドレスの設定および変更を行うアドレス設定機能を備えており、その内蔵メモリの一部の領域が台間機アドレスの記憶領域(アドレスメモリ)として利用される。また、下側前面パネル３６に配置されているテンキー群３８は、台間機アドレスを入力するためのアドレス入力部として機能する。
【００３３】
したがって、台間機本体２０の着脱側ユニット５０が保守点検などのために引き抜かれている状態においても、固定側ユニット３０の前面に取り付けられている下側前面パネル３６に配置されているテンキー群３８を用いて、台間機アドレスの設定あるいは変更を行うことができる。
【００３４】
また、アドレス設定装置として独立した装置を配置する必要はなく、台間機制御器３３の制御機能にアドレス設定機能を持たせ、台間機制御器３３の内蔵メモリの一部の領域を台間機アドレスを記憶するためのアドレスメモリとして利用することができる。よって、設置場所、コスト高を招くことなく、アドレス設定装置を組み込むことができる。
【００３５】
なお、本例の遊技台用台間機６によれば、次のような作用効果が得られる。まず、着脱側ユニット５０には、機械的な駆動部分を含む紙幣処理機５２およびＩＣコイン処理機５３が搭載されている。したがって、紙幣詰まりが発生した場合、ＩＣコイン詰まりが発生した場合などにおいては、その回復作業を簡単に行うことができる。
【００３６】
また、固定側ユニット３０には台間機電源ユニット３２および台間機制御器３３が搭載されている。固定されている台間機制御器３３の背面から直接に外部通信用のケーブルを引き出して外部機器に接続でき、台間機ホルダ１０に通信用の中継器を配置する必要がない。また、台間機制御器３３と上側の着脱側ユニット５０との間の通信用および給電用のケーブル４５、５５の接続機構は、ホルダ側コネクタ４６とユニット側コネクタ５８からなる小型で単純な構造のもので済む。したがって、従来のように台間機ホルダに通信用の大きな中継器を配置してある場合に比べて、台間機６の小型化、低コスト化に有利である。
【００３７】
これに加えて、固定側ユニット３０の内部に、台間機電源ユニット３２および台間機制御器３３が配置されているので、台間機電源ユニット３２から引き出される電源ケーブル３５を、ユニット外に引き出す必要がない。よって、電源ケーブル３５を引き回すためのスペースを台間機６の背面側に確保する必要がない。また、周辺の電子機器に電磁障害が発生しないように電源ケーブル３５などをシールドすることも簡単である。したがって、これらの点からも、台間機の小型化、低コスト化に有利である。
【００３８】
なお、本例では、着脱側ユニット５０に紙幣処理機５２およびＩＣコイン処理機５３が搭載されている。硬貨処理機、カード状記憶媒体処理機が備わっている場合には、これらを着脱側ユニット５０に搭載すればよい。換言すると、台間機６における機械的な駆動部分を含む部位を着脱側ユニット５０に搭載すればよい。また、固定側ユニット３０を下側に配置してあるが、これを上側に配置し、着脱側ユニット５０を下側に配置することも可能である。
【００３９】
(実施の形態２)
次に、図５は本発明を適用した実施の形態２に係る遊技台用台間機を示す概略構成図である。この図に示す遊技台用台間機の基本構成は上記の遊技台用台間機６と同一である。異なる点は、光通信により台間機アドレスの設定・変更を行うアドレス設定装置が組み込まれていることである。したがって、図１〜４に示す遊技システムの各部と対応する部位には同一の符号を付し、それらの説明を省略する。
【００４０】
本例の遊技台用台間機１００も、遊技島枠(図示せず)に取り付けられた台間機ホルダ１０と、台間機本体２０とを有し、台間機本体２０は、台間機ホルダ１０に固定した下側の固定側ユニット３０と、台間機ホルダ１０に対して前方から着脱可能に差し込み固定されている着脱側ユニット５０から構成されている。
【００４１】
固定側ユニット３０の前面に取り付けた下側前面パネル３６には、透光性の光通信用の受光窓１０１が配置されている。この受光窓１０１を目掛けて、アドレス設定装置の構成部品である携帯型のアドレスデータ発信器１１０から光通信により台間機アドレスデータを送信すると、送信した台間機アドレスが当該遊技台用台間機１００の台間機アドレスとして設定されるようになっている。
【００４２】
下側前面パネル３６の受光窓１０１の背面側に、光学式のアドレスデータ受信器１０２が配置されている。アドレスデータ受信器１０２は、アドレスデータ発信器１１０からのアドレスデータを受光窓１０１を介して受光する。受光した台間機アドレスデータは、台間機制御器３３の内蔵メモリの一部に展開したアドレスメモリ１０３に記憶保持される。アドレスメモリ１０３は不揮発性メモリであるＥＥＰＲＯＭやＳＲＡＭから構成されており、電源がオフされても設定された台間機アドレスが保持される。また、アドレスメモリ１０３に台間機アドレスが保持されている状態において、アドレスデータ受信器１０２が新たなアドレスデータを受信した場合には、その受信した台間機アドレスデータによってアドレスメモリ１０３の記憶内容が更新可能となっている。また、このような台間機アドレスの設定・変更処理機能を備えた制御部１０４が台間機制御器３３の制御機能として備わっている。
【００４３】
このように、本例では、遊技台用台間機１００の固定側ユニット３０に搭載されている制御部１０４、アドレスデータ受信器１０２、および、アドレスメモリ１０３と、携帯型のアドレスデータ発信器１１０とによって、遊技台用台間機１００のアドレス設定装置１２０が構成される。
【００４４】
この構成の遊技台用台間機１００においても上記の遊技台用台間機６と同様な作用効果が得られる。
【００４５】
これに加えて、本例のアドレス設定装置１２０を用いれば、携帯型のアドレスデータ発信器１１０により、各遊技台用台間機１００の台間機アドレスの設定および変更を、遠隔操作により行うことができる。したがって、各遊技台用台間機１００に台間機アドレス設定用のスイッチなどを配置する必要がなく、また、極めて簡単に台間機アドレスの設定あるいは変更を行うことができる。また、このような無線通信は光通信などにより廉価、かつ簡単な構成により実現できるという利点もある。
【００４６】
なお、本例では光通信により台間機アドレスを設定しているが、所定周波数の電波により台間機アドレスを送信するようにしてもよい。
【図面の簡単な説明】
【００４７】
【図１】本発明を適用した実施の形態１に係る遊技台用台間機を備えた遊技システムを示す部分正面図である。
【図２】(ａ)、(ｂ)および(ｃ)は台間機の正面図、側面図および裏面図である。
【図３】台間機ホルダから台間機本体の上側の着脱側ユニットを引き抜いた状態を示す側面図である。
【図４】台間機の内部構造を示す説明図である。
【図５】本発明を適用した実施の形態２に係る遊技台用台間機を示す概略構成図である。
【符号の説明】
【００４８】
１    遊技システム
２    遊技島
３    遊技島取付枠
４    遊技ユニット
５    遊技台
６    台間機
１０  台間機ホルダ
１１  縦枠
１１ａ  背板部分
１２  上側水平ガイド枠
１３  下側水平ガイド枠
２０  台間機本体
３０  固定側ユニット
３２  台間機電源ユニット
３３  台間機制御器(制御部およびアドレスメモリ)
３４  電源ケーブル
３５  電源ケーブル
３６  下側前面パネル
３８  テンキー群(アドレス入力部)
４２  外部通信用のコネクタ
４３、４４  フック
４５  ケーブル
４６  ホルダ側コネクタ
５０  着脱側ユニット
５２  紙幣処理機
５３  ＩＣコイン処理機
５５  ケーブル
５８  ユニット側コネクタ
７０  ロック機構
１００  遊技台用台間機
１０１  受光窓
１０２  アドレスデータ受信器
１０３  アドレスメモリ
１０４  制御部
１１０  アドレスデータ発信器
１２０  アドレス設定装置
【図１】
2007313209.tif 000003
【図２】
2007313209.tif 000004
【図３】
2007313209.tif 000005
【図４】
2007313209.tif 000006
【図５】
2007313209.tif 000007
【手続補正書】
【提出日】平成18年6月7日(2006.6.7)
【手続補正１】
【補正対象書類名】図面
【補正対象項目名】図５
【補正方法】変更
【補正の内容】
【図５】
2007313209.tif 000008